(57)【要約】【課題】母線側機器ユニット、遮断器ユニット、線路側機器ユニットの順序で構成接続し、前記遮断器ユニットが遮断器消弧室の上部に母線側変流器を配設して構成されるガス絶縁開閉装置において、遮断器消弧室への接近が容易で、且つコンパクトなガス絶縁開閉装置を提供する。【解決手段】遮断器ユニットと線路側機器ユニットを接続する水平分岐部に線路側変流器を水平に配置し、前記線路側変流器の上方向で且つ消弧室の近傍高さで回線軸方向（水平分岐部方向）にマンホールを前記遮断器ユニットの容器に設ける。【選択図】図２
2008283772.tif 000002
【特許請求の範囲】
【請求項１】
母線側機器ユニット、遮断器ユニット、線路側機器ユニットの順序で構成接続し、前記
遮断器ユニットが遮断器消弧室の上部に母線側変流器を配設して構成されるガス絶縁開閉
装置において、前記遮断器ユニットと前記線路側機器ユニットを接続する水平分岐部に水
平に配置した線路側変流器と、前記遮断器ユニットの容器に前記線路側変流器の上方向で
且つ前記消弧室の近傍高さで回線軸方向に設けたマンホールと、を備えたことを特徴とす
るガス絶縁開閉装置。
【請求項２】
請求項１記載のガス絶縁開閉装置において、前記マンホールの設置位置を、前記線路側
変流器の上方向で且つ前記消弧室の近傍高さで、遮断器ユニット容器の縦の中心軸からマ
ンホールの中心に向かう線と回線軸方向の線とが所定の角度を持つ方向としたことを特徴
とするガス絶縁開閉装置。
【請求項３】
請求項１または請求項２のガス絶縁開閉装置において、前記線路側変流器の上部を保守
点検通路として点検フロアを配設したことを特徴とするガス絶縁開閉装置。
【請求項４】
請求項１乃至３のガス絶縁開閉装置において、前記線路側変流器を前記線路側機器ユニ
ットの水平分岐部内に収納し、前記線路側機器ユニットの水平分岐高さを前記遮断器ユニ
ットの水平分岐高さより低くしたことを特徴とするガス絶縁開閉装置。
【請求項５】
請求項１乃至４のガス絶縁開閉装置において、３相器に適用したことを特徴とするガス
絶縁開閉装置。
【発明の詳細な説明】
【技術分野】
【０００１】
本発明は、母線側ユニット、遮断器ユニット及び線路側機器ユニットで構成され、特に
遮断器ユニットを縦置きとしたガス絶縁開閉装置に関する。
【背景技術】
【０００２】
一般に、ガス絶縁開閉装置の一回線機器は母線側機器ユニットと遮断器ユニット及び線
路側機器ユニットに大別され、絶縁ガスを充填した容器内に収納されている。最近、最小
個数の容器内に収納された各ユニットの配置順序としては母線側機器ユニットと遮断器ユ
ニット及び線路側機器ユニットで構成することで、より縮小化を図り、ガス絶縁開閉装置
を合理的に配置することが多い。中央に配置される遮断器ユニットは、遮断器とその遮断
器の片側あるいは両側に配置される変流器が遮断器容器内に収納されている。例えば特許
文献１には、両側に配置された変流器の一つは、母線側変流器が遮断器の上部の線路側機
器ユニット側に配置され、もう一つは、線路側変流器が遮断器容器の水平分岐部内に配置
されている構成が示されている。また、変流器を遮断器ユニット内で遮断器の片側に配置
した例は、特許文献２および３に示されている。
【特許文献１】特開  ２００４−２６６９６９号公報
【特許文献２】特開平３−９８２２０号公報
【特許文献３】特開平３−９８２２１号公報
【発明の開示】
【発明が解決しようとする課題】
【０００３】
上述した特許文献１に示すガス絶縁開閉装置の構成においては、中央に配置された変流
器を有する遮断器ユニットでは遮断器の上部に変流器があるため、一般的には遮断器消弧
室部品、たとえばアークコンタクトやノズルなど、を交換する際は変流器を取り外すか遮
断器容器の隣接回線方向の側面に点検マンホールを設ける必要があり、遮断器の保守点検
性の向上が課題となっており、その解決が希求されていた。
【０００４】
一方、特許文献２および特許文献３に示すガス絶縁開閉装置の構成においては、遮断器
部分に点検用マンホールが設けられているが、この例は変流器が遮断器の片側のみに設置
する場合である。従って、超高圧系統など系統運用上高信頼度が求められ、遮断器の両側
に変流器を設置する場合には、遮断器ユニットの構成を見直す必要があり、遮断器部分に
マンホールを設けると、高い位置となり点検には不便であること、遮断器ユニット全体が
大型化し、経済的に不利になることなどの課題を生じる。
【０００５】
本発明は上述した課題を解決するためになされたものであり、マンホールを遮断器容器
の線路側変流器上部で、ほぼ回線軸方向に配置することで、回線間寸法を広げることなく
遮断器消弧室への接近が容易で、且つコンパクトなガス絶縁開閉装置を提供することを目
的とする。
【課題を解決するための手段】
【０００６】
本発明は上記課題を解決するためになされたもので、母線側機器ユニット、遮断器ユニ
ット、線路側機器ユニットの順序で構成接続し、前記遮断器ユニットが遮断器消弧室の上
部に母線側変流器を配設して構成されるガス絶縁開閉装置において、前記遮断器ユニット
と前記線路側機器ユニットを接続する水平分岐部に線路側変流器を水平に配置し、前記線
路側変流器の上方向で且つ前記消弧室の近傍高さで回線軸方向（水平分岐部方向）にマン
ホールを前記遮断器ユニットの容器に設けたものである。
【発明の効果】
【０００７】
本発明によれば、遮断器ユニットと線路側機器ユニットの接続水平分岐部に線路側変流
器を収納し、その分岐部水平容器の上方向で、遮断器ユニットの遮断器消弧室近傍高さか
つ回線軸（水平分岐部）方向に、遮断点検用マンホールを設けたものであるので、ガス絶
縁開閉装置全体をコンパクトに保ったままで、かつ遮断器上部の変流器取り外し等を伴わ
ずに遮断器の点検を実施することが可能となり、保守性を向上することができる。
【発明を実施するための最良の形態】
【０００８】
以下、本発明に係るガス絶縁開閉装置の実施例について、図面を参照して説明する。
【実施例１】
【０００９】
まず、図１と図２を用いて実施例１を説明する。図１はガス絶縁開閉装置の代表的な１
回線の単線結線図で、図２は図１の単線結線図による実施例１の構造図である。本実施例
１では、１回線は左から母線側機器ユニット1、遮断器ユニット２、線路側機器ユニット
３で構成されている。細部に図示されていない消弧室を有する遮断器４の下方に配置され
た遮断器容器５の水平分岐部６には線路側変流器７が収納されており、線路側変流器７を
固定している支え板８aが水平分岐部６の内壁に設けられた突起物９aに取り付けている。
線路側変流器７のほぼ中央に変流器一次導体１０aが配置され、その一端が遮断器４に接
続されている。一方、変流器一次導体１０aの他端には線路側機器ユニット３の線路側機
器容器１１の水平分岐部１２が接続されている。線路側機器ユニット３は線路側機器容器
１１の主胴部に設けられた線路側断路器１３と線路側接地装置１４が接続されており、下
方には電力ケーブル１５が、上方には計器用変圧器１６が配置されている。図示されてい
ないが、ブッシング取り合いの場合は電力ケーブル１５の代わりに計器用変圧器１６の端
子にブッシング接続装置を配置することも可能である。ここでは線路側変流器７が遮断器
容器５の水平分岐部６に収納されているが、図示されていないが線路側変流器７の専用容
器に収納することもできる。
【００１０】
一方、遮断器４の上部に母線側変流器１７が配置され、母線側変流器１７を固定してい
る支え板８ｂが遮断器容器５の内壁に設けられた突起物９ｂに取り付けている。水平導体
１８が支え板８bに取り付けられたポストスペーサ１９で絶縁支持されており、その一端
には遮断器４と接続するために母線側変流器１７の変流器一次導体１０ｂがスライド接点
２０を介して電気的に接続されている。図中ではスライド接点２０は変流器一次導体１０
ｂの両端に設けられているが、少なくとも一箇所でも構成可能である。遮断器容器５の上
部開口部には蓋２１が設けられている。遮断器４の消弧室部品、たとえば図示していない
がアークコンタクトやノズルなど、の点検および交換するために消弧室４の近傍高さで、
ほぼ回線軸方向にマンホール２２を配置している。マンホール２２の高さは遮断器４の消
弧室高さに依存している。
【００１１】
一方、水平導体１８の他端には２つの母線側機器ユニット１と接続する母線接続導体２
３が接続されている。２個の母線機器ユニット１は母線容器２４ａ、２４ｂの主胴が紙面
の表裏方向に配置されており、母線容器２４ａ、２４ｂの主胴内に母線２５a、２５ｂと
母線側断路器２６a、２６ｂが収納されている。
【００１２】
母線側機器ユニット１の前面には回線制御盤２７及び母線側機器ユニット１の機器操作
スペースとして保守点検通路２８が確保されている。
【００１３】
遮断器４の消弧室部品を点検および交換するために、線路側変流器７の上部に点検フロ
ア２９を設置している。
【００１４】
図２は単相器で表現しているが、３相器への適用も可能である。また、２個の母線側機
器ユニットで表現しているが、１個への適用も可能である。
【００１５】
本実施の形態にすれば、蓋２１を取り外し後、水平導体１８と母線側変流器１７の一次
導体１０ｂを取り外すことで、遮断器４と物理的に切り離すことができるため、ほぼ回線
軸方向にあるマンホール２２から遮断器４の消弧室部品の点検および交換が可能となる。
母線側変流器１７および図示していないが変流器の二次リード線の煩雑な取り外し作業が
無くなるため、遮断器４の保守点検性の向上が図られる。線路側変流器７の上部空間を遮
断器４の保守点検作業に有効に利用することができる。回線間方向へのマンホールが無く
なるため、回線間寸法の最小限化が可能となり、複数回線で構成されるガス絶縁開閉装置
では大幅な縮小ができる。
【実施例２】
【００１６】
図３は、図２の矢視Ａ−Ａを示したものである。実施例２は、図３に示すようにマンホ
ール２２は回線軸に対する角度θ傾けて配置したものである。これにより、回線軸方向に
十分な保守スペースが取れない場合でも、マンホールの位置を回線軸方向に対し角度θず
らした配置としたため、保守スペースの確保が容易となる。
【実施例３】
【００１７】
次に、本発明に係るガス絶縁開閉装置の実施例３を、図４を用いて説明する。なお実施
例１と同一の構成には同一の符号を付し、重複する説明は省略する。
【００１８】
図４において、線路側変流器７を線路側機器容器１１の水平分岐部１２に収納し、水平
分岐部１２の高さＨ１を遮断器容器５の水平分岐部６の高さＨ２より低く配置している。
水平分岐部６は線路側変流器７を収納しないため、その直径は小さくでき容器の強度計算
上、水平分岐部６の高さＨ２は低くすることができる。このため、線路側機器の水平分岐
部の容器外周の高さを、遮断器ユニット水平分岐部の容器外周の高さ程度の位置に配置す
ることができ、マンホール２２の高さも低くできる。従って、遮断器ユニットの高さＨ３
も低くでき、全体のコンパクト化を図ることができる。
【００１９】
本実施の形態にすれば、近年の遮断器の消弧技術進歩による消弧室高さコンパクト化に
十分対応できるものである。
【図面の簡単な説明】
【００２０】
【図１】本発明の第１の実施形態のガス絶縁開閉装置の代表的な単線結線図
【図２】本発明の第１の実施形態のガス絶縁開閉装置の内部構造を表す構成図
【図３】本発明の第２の実施形態の矢視Ａ−Ａを表す断面図
【図４】本発明の第３の実施形態のガス絶縁開閉装置の内部構造を表す構成図
【符号の説明】
【００２１】
1…母線側機器ユニット
2…遮断器ユニット
3…線路側機器ユニット
4…遮断器
5…遮断器容器
6…遮断器容器の水平分岐部
7…線路側変流器
8a,8b…支え板
9a,9b…突起物
11…線路側機器容器
12…線路側機器容器の水平分岐部
13…線路側断路器
14…線路側接地装置
15…電力ケーブル
16…計器用変圧器
17…母線側変流器
18…水平導体
19…ポストスペーサ
20…スライド接点
25a,25b…母線
27…回線制御盤
28…保守点検通路
H1…線路側機器容器の水平分岐部高さ
H2…遮断器容器の水平分岐部高さ 
【図１】
2008283772.tif 000003
【図２】
2008283772.tif 000004
【図３】
2008283772.tif 000005
【図４】
2008283772.tif 000006